(57)【要約】      （修正有）【課題】リュックサック等の背負い具に関し、リュックサック本体、または雑のう本体等の背負い具の背負い紐の先端側に設けた係止具に係脱可能に結合される角環を、背負い紐の下端を背面に取付けるための引き紐の長さを調節可能とする調節金具に荷重に対して引きちぎれがなく、大きな取付強度にて構造堅牢に取付けるものである。【解決手段】背負い紐４,４の調節金具７が、角環１０Ａを長さ調節手段８に結合するのに、連結帯体１１を三重に両端１１ａ,１１ｂを対向して折り重ねて連結帯体の両端部に形成されるループ１２ａ,１２ｂ内に角環と調節金具７との各取付環部１０ａ,７ａを挿通させるとともに、ループの内側を縫着し、連結帯体を介して角環を長さ調節手段８に結合した。【選択図】図７
0003132325.tif 000002
【実用新案登録請求の範囲】
【請求項１】
リュックサック本体、または／および雑のう本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、
前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体を介して前記角環を前記長さ調節手段に結合したことを特徴とするリュックサック等の背負い具。
【請求項２】
リュックサック本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、
前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体を介して前記角環を前記長さ調節手段に結合したことを特徴とするリュックサック等の背負い具。
【請求項３】
前記リュックサック本体が、布を用いて全体形状がほぼ角形に形成され、上部には開口が設けられ、該開口が、カバーにより被覆可能に設けられ、背中が接触する前記リュックサック本体の前記背面の下部に１対の腰ベルトの一端が縫着され、該腰ベルトの他端は結合可能に設けられ、該腰ベルトの中間部に前記引き紐の一端が縫着され、前記引き締め紐は、前記背面の上部に一端が取付けられ、他端側には前記係止具が設けられ、前記カバーの他端には前記リュックサック本体の周縁上部に設けた雄型の上部係止具が係脱可能な雌型の上部係止具が設けられた親リュックサックに形成され、該親リュックサックの前記カバーの上面に雑のうを着脱可能に取り付けることを特徴とする請求項１に記載の親子式のリュックサック等の背負い具。
【請求項４】
前記係止具が、前記角環内に挿入可能に前記背負い紐の先端部他端に設けた小径の鎖状用角環と、前記背負い紐の表面に添設した引き締め紐の先端に設けられる二股状部片の一方に装着され、前記鎖状用角環に係脱可能になる弾性係止鉤を対向して有する雄状係止部材と、前記二股状部片の他方に連結帯体の対応個所に設けた雄状スナップ、または雌状スナップの何れかに嵌脱可能に嵌入される雌状スナップ、または雄状スナップの何れかと、により形成されたことを特徴とする請求項１−３の何れかに記載のリュックサック等の背負い具。
【請求項５】
前記調節金具が、前記取付環部を上端および下端に設けた調節金具基板と、該調節金具基板に軸体により枢着されるとともに、該軸体に捲回された捲ばねの附勢力により附勢されるカム形状の取付管部と、該取付管部の内側端に突出され、該取付管部と前記調節金具基板との間に挿通された引き紐に食い込み可能に設けられた有歯刃と、を備える長さ調節手段を設けたことを特徴とする請求項１−４の何れかに記載のリュックサック等の背負い具。
【考案の詳細な説明】
【技術分野】
【０００１】
本考案はリュックサック等の背負い具に関し、リュックサック本体、または雑のう本体等の背負い具の背面に取付けられる背負い紐の先端側に設けた係止具に係脱可能に結合される角環を、背負い紐の下端を前記背面に取付けるための引き紐の長さを調節可能とする調節金具に荷重に対して引きちぎれるがなく、大きな取付強度にて構造堅牢に取付けようとする。
【背景技術】
【０００２】
従来、例えば、布を用いて全体形状がほぼ角形に形成され、上部には開口が設けられ、該開口が、カバーにより被覆可能に設けられたリュックサック本体の背面の上部に、一端が連結され、先端側の他端には係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐と、を備え、前記カバーの上面に雑のうを着脱可能に取り付けるという、親子式のリュックサック等の背負い具があった。そして、この背負い具に用いられている前記調節金具は、環状係止具を前記長さ調節手段に結合するのに、連結帯体を二重に折り重ねて前記連結帯体の一端部に形成されるループ内に調節金具基板の上端に形成した取付環部を挿通させるとともに、連結帯体の重ね合わされた自由端を雄雌の鳩目部品を複数個用いて固着したことにより前記連結帯体を介して前記環状係止具を長さ調節手段に結合したものがあった（例えば特許文献１参照）。
【特許文献１】実用新案登録第２５６８６６９号
【考案の開示】
【考案が解決しようとする課題】
【０００３】
しかしながら、特許文献１に記載の上記従来の親子式のリュックサック等の背負い具では、この背負い具に用いられている前記調節金具が、環状係止具を長さ調節手段に結合するのに、連結帯体を二重に折り重ねて該連結帯体の一端部に形成されるループ内に調節金具基板の上端に形成した取付環部を挿通させるとともに、連結帯体の重ね合わされた自由端を雄雌の鳩目部品を複数個用いて固着することにより連結帯体を介して環状係止具を長さ調節手段に結合した構造であるので、リュックサック本体内に多くの荷物を詰め込んだり、または、重い荷物を詰め込んだり、さらには荷物が詰め込まれた雑のうをリュックサック本体の上方に設けた開口を覆うカバーを介してリュックサック本体の上部に取付けることにより多きな荷重がかかると、背負い紐の先端に設けた係止具に、係脱可能に引き紐に設けられる環状係止具は取付部品としての鳩目部品の取付個所としての連結帯体に孔を開けるので、孔の開設個所が構造的に脆弱になり、大きな荷重がかかると、耐えきれずに鳩目部品の取付個所から引きちぎれたり、連結帯体が切断する等、構造的に脆弱であった。
【０００４】
本考案は上記従来の欠点を解決するとともに、リュックサック本体、または雑のう本体等の背負い具の背面に取付けられる背負い紐の先端側に設けた係止具に係脱可能に結合される角環の調節金具基板に対する取付強度を、増し、引き紐の連結帯体が大きな荷重を受けても引きちぎれるがなく、大きな取付強度にて構造堅牢に取付けることができるリュックサック等の背負い具を提供すること目的とする。
【課題を解決するための手段】
【０００５】
本考案は上記課題に鑑みなされ、請求項１に記載の考案は、
リュックサック本体、または／および雑のう本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、
前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体体を介して前記角環を前記長さ調節手段に結合したことを特徴とする。
【０００６】
また、本考案の請求項２に記載の考案は、リュックサック本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、
前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体を介して前記角環を前記長さ調節手段に結合したことを特徴とする。
【０００７】
また、本考案の請求項３の考案は、請求項１において、前記リュックサック本体が、布を用いて全体形状がほぼ角形に形成され、上部には開口が設けられ、該開口が、カバーにより被覆可能に設けられ、背中が接触する前記リュックサック本体の前記背面の下部に１対の腰ベルトの一端が縫着され、該腰ベルトの他端は結合可能に設けられ、該腰ベルトの中間部に前記引き紐の一端が縫着され、前記引き締め紐は、前記背面の上部に一端が取付けられ、他端側には前記係止具が設けられ、前記カバーの他端には前記リュックサック本体の周縁上部に設けた雄型の上部係止具が係脱可能な雌型の上部係止具が設けられた親リュックサックに形成され、該親リュックサックの前記カバーの上面に雑のうを着脱可能に取り付けることを特徴とする。
【０００８】
また、本考案の請求項４の考案は、請求項１−３の何れかにおいて、前記係止具が、前記角環内に挿入可能に前記背負い紐の先端部他端に設けた小径の鎖状用角環と、前記背負い紐の表面に添設した引き締め紐の先端に設けられる二股状部片の一方に装着され、前記鎖状用角環に係脱可能になる弾性係止鉤を対向して有する雄状係止部材と、前記二股状部片の他方に連結帯体の対応個所に設けた雄状スナップ、または雌状スナップの何れかに嵌脱可能に嵌入される雌状スナップ、または雄状スナップの何れかと、により形成されたことを特徴とする。
【０００９】
また、本考案の請求項５に記載の考案は、請求項１−４の何れかにおいて、前記調節金具が、前記取付環部を上端および下端に設けた調節金具基板と、該調節金具基板に軸体により枢着されるとともに、該軸体に捲回された捲ばねの附勢力により附勢されるカム形状の取付管部と、該取付管部の内側端に突出され、該取付管部と前記調節金具基板との間に挿通された引き紐に食い込み可能に設けられた有歯刃と、を備える長さ調節手段を設けたことを特徴とする。
【考案の効果】
【００１０】
本考案の請求項１に記載の考案によれば、リュックサック本体、または／および雑のう本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体を介して前記角環を前記長さ調節手段に結合したことを特徴とするので、連結帯体を三重に両端を対向して折り重ねて該連結帯体の両端部に形成されるループのうちの一方のループ内に角環の取付環部を挿通させるとともに、他方のループ内に調節金具の取付環部を挿通させ、前記ループの内側を縫着したことにより該連結帯体を介して前記角環は長さ調節手段に結合されるため、リュックサック本体、または雑のう本体等の背負い具の背面に取付けられる背負い紐の係止金具に係脱可能に結合される角環の調節金具基板に対する取付強度は、増し、引き紐の連結帯体体が大きな荷重を受けても引きちぎれるがなく、大きな取付強度にて構造に取付けることができる。
【００１１】
また、本考案の請求項２に記載の考案によれば、リュックサック本体の背面の上部に、一端が連結され、先端側の他端には係脱可能となる係止具が装着された背負い紐と、前記背面に下方の一端が引き紐を介して連結され、中間部には長さを長短調節可能な長さ調節手段を有する調節金具が設けられるとともに、該調節金具の上部に前記係止具に係脱可能になる環状係止具を設けることにより前記背負い紐に連結されて該背負い紐に添設される引き締め紐とを備えたリュックサック等の背負い具において、前記調節金具が、前記環状係止具に代えた角環を前記長さ調節手段に結合するのに、連結帯体を三重に両端を対向して折り重ねて前記連結帯体の両端部に形成されるループ内に前記角環と前記調節金具との各取付環部を挿通させるとともに、前記ループの内側を縫着したことにより前記連結帯体を介して前記角環を前記長さ調節手段に結合したことを特徴とするので、連結帯体を三重に両端を対向して折り重ねて該連結帯体の両端部に形成されるループのうちの一方のループ内に角環の取付環部を挿通させるとともに、他方のループ内に調節金具の取付環部を挿通させ、前記ループの内側を縫着したことにより該連結帯体を介して前記角環は長さ調節手段に結合されるため、リュックサック本体の背面に取付けられる背負い紐の係止金具に係脱可能に結合される角環の調節金具基板に対する取付強度は、増し、引き紐の連結帯体が大きな荷重を受けても引きちぎれるがなく、大きな取付強度にて構造に取付けることができる。
【００１２】
また、本考案の請求項３の考案によれば、前記リュックサック本体が、布を用いて全体形状がほぼ角形に形成され、上部には開口が設けられ、該開口が、カバーにより被覆可能に設けられ、背中が接触する前記リュックサック本体の前記背面の下部に１対の腰ベルトの一端が縫着され、該腰ベルトの他端は結合可能に設けられ、該腰ベルトの中間部に前記引き紐の一端が縫着され、前記引き締め紐は、前記背面の上部に一端が取付けられ、他端側には前記係止具が設けられ、前記カバーの他端には前記リュックサック本体の周縁上部に設けた雄型の上部係止具が係脱可能な雌型の上部係止具が設けられた親リュックサックに形成され、該親リュックサックの前記カバーの上面に雑のうを着脱可能に取り付けることを特徴としたので、親リュックサック内に多くの荷物を詰め込んだり、または、重い荷物を詰め込んだり、さらには荷物が詰め込まれた雑のうをリュックサック本体の上方に設けた開口を覆うカバーを介してリュックサック本体の上部に取付けることによりさらに大きな荷重がかかると、背負い紐の先端に設けた係止金具に、係脱可能に引き紐に設けられる角環は、従来のように取付部品としての鳩目部品を用いずに取付個所としての連結帯体に孔を開けずに済むため、孔の開設個所が構造的に脆弱になることがなくなり、大きな荷重がかかつても、角環の取付個所の強度が増して連結帯体が引きちぎれたり、切断することなく、構造的に堅牢になる。
【００１３】
また、本考案の請求項４の考案によれば、前記係止具が、前記角環内に挿入可能に前記背負い紐の先端部他端に設けた小径の鎖状用角環と、前記背負い紐の表面に添設した引き締め紐の先端に設けられる二股状部片の一方に装着され、前記鎖状用角環に係脱可能になる弾性係止鉤を対向して有する雄状係止部材と、前記二股状部片の他方に連結帯体の対応個所に設けた雄状スナップ、または雌状スナップの何れかに嵌脱可能に嵌入される雌状スナップ、または雄状スナップの何れかと、により形成されたことを特徴とするので、係止具が、背負い紐の先端部他端に装着した小径の鎖状用角環を引き紐の一端に設けられた角環内に挿入されるとともに、引き締め紐の先端に設けられる二股状部片の一方に装着した雄状係止部材の対向する弾性係止鉤を前記鎖状用角環の外方側の開口部内に係挿することで雄状係止部材により角環内に挿入されている小径の鎖状用角環の抜け出しを規制し、しかも、連結帯体に設ける雄状スナップが二股状部片の他方に設けた雌状スナップに嵌脱可能に嵌入することにより、二股状部片の他方により調節金具を連結している連結帯体に対する不用意な動きを拘束することができる。こうして、背負い紐に対して引き紐を調節金具を介して固定するとともに、引き紐に対して引き締め紐を雄状スナップと、雌状スナップとを介して固定することにより引き紐と連結帯体とを堅牢かつ確実に一体化して安全性を高めることができる。そして、何らか緊急事態が発生するなどして、急いでリュックサック本体を背中から脱ぐ必要を生じた場合に、雄状スナップと、雌状スナップとの嵌合を解くことにより、引き紐に対する引き締め紐の拘束を解くとともに、雄状係止部材の対向する弾性係止鉤を対向する方向に押し窄めて弾性係止鉤の鎖状用角環に対する係合を解き、背負い紐に対する引き締め紐の結合を解いて背負い紐と、引き締め紐とを分離し、リュックサック本体を容易且つ迅速に背中から脱ぐことができる。
【００１４】
また、本考案の請求項５によれば、前記調節金具が、前記取付環部を上端および下端に設けた調節金具基板と、該調節金具基板に軸体により枢着されるとともに、該軸体に捲回された捲ばねの附勢力により附勢されるカム形状の取付管部と、該取付管部の内側端に突出され、該取付管部と前記調節金具基板との間に挿通された引き紐に食い込み可能に設けられた有歯刃と、を備える長さ調節手段を設けたことを特徴とするので、カム形状の取付管部を捲ばねの附勢力に抗して軸体を中心に回動させて引き紐に対する有歯刃の食い込みを解除することにより引き紐の長さを長短調節する。
【考案を実施するための最良の形態】
【００１５】
以下、図面に従って本考案の実施の最良の形態により、本考案の詳細を説明する。
【００１６】
図１は本考案のリュックサック等の背負い具の実施形態を示し、親リュックサックに雑のうを組付けた状態の斜視図、図２は同じく親リュックサックから雑のうを分離した状態の分解斜視図、図３は同じく親リュックサックを示す斜視図、図４は同じく親リュックサックを背面側から見た斜視図、図５は図４における円Ｐ内の拡大正面図、図６は本実施形態で使用する調節金具の拡大正面図、図７は同じく係止部、および調節金具の拡大側面図、図８は同じく親リュックサックの正面図、図９は同じく親リュックサックの背面図、図１０は本考案のリュックサック等の背負い具を構成する雑のうを示す背面図、図１１は図１０のＹ矢斜視図である。
【００１７】
本実施形態のリュックサック等の背負い具は、雑のうＢをリュックサック本体１の上部に設けた開口Ｋを被覆可能に設けた後記カバー１３を介して着脱可能に取り付ける親リュックサックＡに適用した場合を示している。
【００１８】
図において、この親リュックサックＡを詳細に説明すると、この親リュックサックＡは、リュックサック本体１、または／および雑のう本体２の背面３,３′の上部に、一端４ａ,４′ａが連結され、先端側の他端４ｂ,４′ｂには係止具Ｇが装着された背負い紐４,４；４′,４′と、前記背面３,３′に下方の一端が引き紐６を介して連結され、中間部には長さを長短調節可能な長さ調節手段８を有する調節金具７が設けられるとともに、該調節金具７の上部に前記係止具Ｇに係脱可能になる環状係止具１０を設けることにより前記背負い紐４,４；４′,４′に連結されて該背負い紐４,４；４′,４′に添設される引き締め紐９とを備えたリュックサック等の背負い具における点は例えば特許文献１に記載の従来の親子式のリュックサック等の背負い具と同様の構成である。
【００１９】
しかしながら、本実施形態では、図５ないし図７に示すように、前記調節金具７が、前記環状係止具１０に代えた角環１０Ａを前記長さ調節手段８に結合するのに、連結帯体１１を三重に両端１１ａ,１１ｂを対向して折り重ねて前記連結帯体１１の両端部に形成されるループ１２ａ,１２ｂ内に前記角環１０Ａと前記調節金具７との各取付環部１０ａ,７ａを挿通させるとともに、前記ループ１２ａ,１２ｂの内側を縫着したことにより前記連結帯体体１１を介して前記角環１０Ａを前記長さ調節手段８に結合している。
【００２０】
また、前記リュックサック本体１が、布を用いて全体形状がほぼ角形に形成され、上部には開口Ｋが設けられ、該開口Ｋが、カバー１３により被覆可能に設けられる。また、前記リュックサック本体１は、背中が接触する前記リュックサック本体１の前記背面３の下部に１対の腰ベルト１４,１４の一端１４ａ,１４ａが縫着され、該腰ベルト１４,１４の他端１４ｂ,１４ｂは結合手段１５を介して結合可能に設けられ、該腰ベルト１４,１４の中間部には前記引き紐６,６の一端６ａ,６ａが縫着され、前記引き締め紐９,９は、前記背面３の上部に一端９ａ,９ａが取付けられ、他端側９ｂ,９ｂには前記係止具Ｇが設けられ、前記カバー１３の周縁部の他端１３ａにはリュックサック本体１の表面側の上部に設けた雄型の上部係止具１６Ａ,１６Ａが係脱可能になる雌型の上部係止具１６Ｂ,１６Ｂが設けられた親リュックサックＡに形成される（図２参照）。
【００２１】
そして、本実施形態では雑のうＢは、親リュックサックＡの前記カバー１３の上面に設けた前記上部係止金具１６Ａ,１６Ａに係脱可能に前記雑のうＢの対応個所に設けた雌型の上部係止金具１７,１７を用いて着脱可能に取り付けられることにより、親リュックサックＡと一緒にその上部に背負い紐４,４により背負われて使用に供されてもよいし、または、雑のうＢは、親リュックサックＡと分離されて背負い紐４′,４′を用いて背負われるか、雑のう本体２の上部に設けられた把手４′Ａを把持して単独で携行する等の単独使用も行うことができる。１７′はカバー１３′の内側に設けられた連結係止具であり、この連結係止具１７′は、リュックサック本体１の背面に対応して設けられた雄型の上部係止具１６′Ａ,１６′Ａが係脱可能になる。
【００２２】
前記結合手段１５は、一方の腰ベルト１４の他端１４ｂに設けられた雄状係止具１５Ａと、この雄状係止具１５Ａの先端部が係脱可能に嵌入され、他方の腰ベルト１４の他端１４ｂに対向して設けられた雌状係止具１５Ｂとにより形成される。この雄状係止具１５Ａと、雌状係止具１５Ｂとは、例えば、公知のものが使用される。
【００２３】
また、前記係止具Ｇが、本実施形態では図５、図６、図７に示すように、前記角環１０Ａ内に挿入可能に前記背負い紐４,４；４′,４′の先端部他端に設けた小径の鎖状用角環１８と、前記背負い紐４,４；４′,４′の表面に添設した引き締め紐９,９の先端に設けられる二股状部片の一方９Ａに装着され、前記鎖状用角環１８の外方側の開口部に係脱可能になる弾性係止鉤１９ａ,１９ａを対向して有する雄状係止部材１９と、前記二股状部片の他方９Ｂに連結帯体体１１の対応個所に設けた雄状スナップ２０Ａ、または図には示さない雌状スナップの何れかに嵌脱可能に嵌入された雌状スナップ２０Ｂ、または図には示さない雄状スナップの何れかと、により形成されている。
【００２４】
このように、係止具Ｇが、背負い紐４,４′の先端部他端に装着した小径の鎖状用角環１８を引き紐６の一端に設けられた角環１８内に挿入されるとともに、引き締め紐９,９の先端に設けられる二股状部片の一方９Ａに装着した雄状係止部材１９の対向する弾性係止鉤１９ａ,１９ａを前記鎖状用角環１８の外方側の開口部内に係挿することで雄状係止部材１９により角環１０Ａ内に挿入されている小径の鎖状用角環１８の抜け出しを規制し、しかも、連結帯体１１に設ける雄状スナップ２０Ａが二股状部片の他方９Ｂに設けた雌状スナップ２０Ｂに嵌脱可能に嵌入することにより、二股状部片の他方９Ｂにより調節金具７を連結している連結帯体１１に対する不用意な動きを拘束するようにしたのは、背負い紐４,４′に対して引き紐６を調節金具７を介して固定するとともに、引き紐６に対して引き締め紐９を雄状スナップ２０Ａと、雌状スナップ２０Ｂとを介して固定することにより引き紐６と連結帯体１１とを堅牢かつ確実に一体化して安全性を高めるものである。
【００２５】
そして、何らか緊急事態が発生するなどして、急いでリュックサック本体１を背中から脱ぐ必要を生じた場合には、雄状スナップ２０Ａと、雌状スナップ２０Ｂとの嵌合を解くことにより、引き紐６に対する引き締め紐９の拘束を解くとともに、雄状係止部材１９の対向する弾性係止鉤１９ａ,１９ａを対向する方向にその弾性復元力に抗して押し窄めて弾性係止鉤１９ａ,１９ａの鎖状用角環１８に対する係合を解き、背負い紐４,４；４′,４′に対する引き締め紐９,９の結合を解いて背負い紐４,４；４′,４′と、引き締め紐９,９とが上下に分離し、リュックサック本体１を容易且つ迅速に背中から脱げるようにするためである。
【００２６】
前記調節金具７が、図示する本実施形態では、図６，図７に示すように、前記取付環部７ａ,７ｂを上端および下端に設けた調節金具基板７Ａと、該調節金具基板７Ａに軸体Ｊにより枢着されるとともに、該軸体Ｊに捲回された捲ばね２１の附勢力により常時、閉方向に附勢されるカム形状の取付管部２２と、該取付管部２２の内側端に突出され、該取付管部２２と前記調節金具基板７Ａとの間に挿通された引き紐６に食い込み可能に設けられた有歯刃２２Ａと、を備える長さ調節手段８を設けている。そして、このカム形状の取付管部２２を捲ばね２１の附勢力に抗して軸体Ｊを中心に開方向へ回動させて引き紐６に対する有歯刃２２Ａの食い込みを解除することにより引き紐６の長さを長短調節して背負い紐４,４にてリュックサック本体１を使用者の体格に応じて背負い易く緊張度を加減するようになっている。
【００２７】
本実施形態のリュックサック等の背負い具は上記構成からなり、引き紐６の中間部に設けられた前記調節金具７が、環状係止具１０に代えて用いられた角環１０Ａを前記長さ調節手段８に結合するには、連結帯体１１を三重になるように両端１１ａ,１１ｂを対向して折り重ねることにより連結帯体１１の両端部に形成されるループ１２ａ,１２ｂ内に前記角環１０Ａと前記調節金具７との各取付環部１０ａ,７ａを挿通させるとともに、前記ループ１２ａ,１２ｂの内側を縫着することにより前記連結帯体１１を介して前記角環１０Ａを前記長さ調節手段８に結合しているので、例えば、布を用いて全体形状がほぼ角形に形成されたリュックサック本体１内に多くの荷物（図示せず）を詰め込んだり、または、重い荷物（図示せず）をリュックサック本体１内に詰め込んだりすることにより、リュックサック本体１に大きな荷重Ｗがかかる場合に、リュックサック本体１の背面３に取付けられる左右の背負い紐４,４；４′,４′の先端に設けた係止具Ｇに係脱可能になる角環１０Ａは、特許文献１のように取付部品としての鳩目部品を用いずに、連結帯体１１に孔を開けずに調節金具７に取付けられるから、連結帯体１１が荷重Ｗや疲労に耐えて強度が増すことにより構造的に堅牢になるため、引き紐６は角環１０Ａの取付個所に大きな荷重がかかっても耐え、引きちぎれたり、切断することなく、構造的に堅牢になる。
【００２８】
また、荷物（図には示さず）が詰め込まれた雑のうＢをリュックサック本体１の上方に設けた開口Ｋを覆うカバー１３の上面に、上部係止具１６Ａ,１７；１６Ａ,１７；上部係止具１６′Ａと、連結係止具１７′とが係合することにより取付けることによってリュックサック本体１自体と、雑のう本体２とを合算した、リュックサック本体１を単独に用いる時よりもさらに大きな荷重Ｗ１がかかる場合にも、背負い紐４,４；４′,４′に設けた係止具Ｇに係脱可能になる角環１０Ａを調節金具７に取り付ける連結帯体１１,１１の強度が増すことにより構造的に堅牢になるため、引き紐６,６は角環１０Ａ,１０Ａの取付個所に大きな荷重Ｗ１がかかっても耐え、引きちぎれたり、連結帯体１１,１１が切断することなく、構造的に堅牢になる。
【００２９】
さらに、雑のうＢを親リュックサックＡと分離して単独に使用する場合も、前述の親リュックサックＡを単独に使用する場合と同様に、雑のう本体２の背面３′に取付けられる背負い紐４′,４′に設けた係止具Ｇに係脱可能に結合される調節金具７,７における角環１０Ａ,１０Ａの調節金具基板７Ａ,７Ａに対する取付強度は、増し、引き紐６,６の連結帯体１１,１１が大きな荷重Ｗ２を受けても引きちぎれるがなく、大きな取付強度にて構造堅牢に取付けることができる。
【００３０】
そして、背負い紐４,４；４′,４′の先端部他端に設けられた前記係止具Ｇが、本実施形態では図５、図６、図７に示すように、前記角環１０Ａ内に挿入可能に前記背負い紐４,４′の先端部他端に設けた小径の鎖状用角環１８と、前記背負い紐４,４；４′,４′の表面に添設した引き締め紐９,９の先端に設けられる二股状部片の一方９Ａに装着され、前記鎖状用角環１８の外方側の開口部に係脱可能になる弾性係止鉤１９ａ,１９ａを対向して有する雄状係止部材１９と、前記二股状部片の他方９Ｂに連結帯体１１の対応個所に設けた雄状スナップ２０Ａ、または図には示さない雌状スナップの何れかに嵌脱可能に嵌入された雌状スナップ２０Ｂ、または図には示さない雄状スナップの何れかと、により形成されているので、背負い紐４,４の先端部他端に装着した小径の鎖状用角環１８を引き紐６の一端に設けられた角環１０内に挿入されるとともに、引き締め紐９,９の先端に設けられる二股状部片の一方９Ａに装着した雄状係止部材１９の対向する弾性係止鉤１９ａ,１９ａを前記鎖状用角環１８の外方側の開口部内に係挿することで雄状係止部材１９により角環１０Ａ内に挿入されている小径の鎖状用角環１８の抜け出しを規制することができる。しかも、連結帯体１１に設ける雄状スナップ２０Ａが二股状部片の他方９Ｂに設けた雌状スナップ２０Ｂに嵌脱可能に嵌入することにより、二股状部片の他方９Ｂにより調節金具７を連結している連結帯体１１に対する不用意な動きを拘束することができ、背負い紐４,４に対して引き紐６を調節金具７を介して固定することができるとともに、引き紐６に対して引き締め紐９を雄状スナップ２０Ａと、雌状スナップ２０Ｂとで固定することができ、引き紐６と連結帯体１１とを堅牢かつ確実に一体化して安全性を高めることができる。
【００３１】
そして、何らか緊急事態が発生するなどして急いでリュックサック本体１を背中から脱ぐ必要を生じた場合には、雄状スナップ２０Ａと、雌状スナップ２０Ｂとの嵌合を解くことにより、引き紐６に対する引き締め紐９の拘束を解くとともに、雄状係止部材１９の対向する弾性係止鉤１９ａ,１９ａを対向する方向に弾性復元力に抗して押し窄めると、弾性係止鉤１９ａ,１９ａの鎖状用角環１８に対する係合が解かれ、背負い紐４,４；４′,４′に対する引き締め紐９,９の結合は解かれる。そして、背負い紐４,４；４′,４′と、引き締め紐９,９とが分離され、リュックサック本体１を容易且つ迅速に背中から脱ぐことができる。
【００３２】
また、本実施形態の調節金具７は、取付環部７ａ,７ｂを上端および下端に設けた調節金具基板７Ａと、該調節金具基板７Ａに軸体Ｊにより枢着されるとともに、該軸体Ｊに捲回された捲ばね２１の附勢力により閉方向に附勢されるカム形状の取付管部２２と、該取付管部２２と前記調節金具基板７Ａとの間には引き紐６が挿通されて取付管部２２の内側端に突出された有歯刃２２Ａがカム作用により引き紐６に食い込まれているので、カム形状の取付管部１０ａを捲ばね２１の附勢力に抗して軸体Ｊを中心に開方向に回動させることにより引き紐６に対する有歯刃２２Ａの食い込みを解除して引き紐６の長さを長短調節し、背負い紐４,４；４′,４′に対する緊張を加減することができる。
【産業上の利用可能性】
【００３３】
本考案は、リュックサック本体、または雑のう本体等の背負い具の背面に取付けられる背負い紐の先端側に設けた係止金具に係脱可能に結合される角環の調節金具基板に対する取付強度を増し、引き紐の連結帯体が大きな荷重を受けても引きちぎれるがなく、大きな取付強度にて構造に取付けることができるという用途・機能に適する。
【図面の簡単な説明】
【００３４】
【図１】図１は本考案のリュックサック等の背負い具の実施形態を示し、親リュックサックに雑のうを組付けた状態の斜視図である。
【図２】図２は同じく親リュックサックから雑のうを分離した状態の分解斜視図である。
【図３】図３は同じく親リュックサックを示す斜視図である。
【図４】図４は同じく親リュックサックを背面側から見た斜視図である。
【図５】図５は図４における円Ｐ内の拡大正面図である。
【図６】図６は本実施形態で使用する調節金具の拡大正面図である。
【図７】図７は同じく調節金具、および係止具の拡大側面図である。
【図８】図８は同じく親リュックサックの正面図である。
【図９】図９は同じく親リュックサックの背面図である。
【図１０】図１０は本考案のリュックサック等の背負い具を構成する雑のうを示す背面図である。
【図１１】図１１は図１０のＹ矢斜視図である。
【符号の説明】
【００３５】
１      リュックサック本体
２      雑のう本体
３      背面
３′    背面
４      背負い紐
４′    背負い紐
５      係止金具
６      引き紐
７      調節金具
７Ａ    調節金具基板
７ａ    取付環部
７ｂ    取付環部
８      長さ調節手段
９      引き締め紐
１０Ａ  角環
１０ａ  取付環部
１１    連結帯体
１２ａ  ループ
１２ｂ  ループ
１３    カバー
１４    腰ベルト
１８Ａ  有歯刃
Ａ      親リュックサック
Ｂ      雑のう
Ｇ      係止具
Ｋ      開口
Ｊ      軸体
【図１】
0003132325.tif 000003
【図２】
0003132325.tif 000004
【図３】
0003132325.tif 000005
【図４】
0003132325.tif 000006
【図５】
0003132325.tif 000007
【図６】
0003132325.tif 000008
【図７】
0003132325.tif 000009
【図８】
0003132325.tif 000010
【図９】
0003132325.tif 000011
【図１０】
0003132325.tif 000012
【図１１】
0003132325.tif 000013